(57)【要約】【課題】電子本システムにおける電子本のコンテンツを変更するための装置及び方法を提供する。【解決手段】本発明による電子本のコンテンツを変更するための方法は、電子本のコンテンツを表示部に表示するステップと、電子本のコンテンツで変更するための少なくても一つの第１情報を確認するステップと、第１情報を変更するための変更情報を確認するステップと、電子本のコンテンツで変更情報によって第１情報を一括的に変更するステップと、を有する。【選択図】図２
2012113710.tif 000002
【特許請求の範囲】
【請求項１】
電子本システムにおける電子本のコンテンツを変更するための方法であって、
前記電子本のコンテンツを表示部に表示するステップと、
前記電子本のコンテンツでマーキング表示する情報を確認するステップと、
前記電子本のコンテンツで前記マーキング表示する情報を一括的にマーキング表示するステップと、を有することを特徴とする電子本のコンテンツを変更するための方法。
【請求項２】
前記マーキング表示する情報は、単語又は文句単位の情報を含むことを特徴とする請求項１に記載の電子本のコンテンツを変更するための方法。
【請求項３】
前記マーキング表示する情報を一括的にマーキング表示するステップの前に、前記マーキング表示する情報に対するマーキング表示情報を確認するステップを更に含み、
前記マーキング表示する情報を一括的にマーキング表示するステップは、前記確認したマーキング表示情報によって前記電子本のコンテンツで前記マーキング表示する情報を一括的にマーキング表示することを特徴とする請求項１に記載の電子本のコンテンツを変更するための方法。
【請求項４】
前記マーキング表示情報は、マーキングの方式、及びマーキングの色相の中の少なくとも一つを含むことを特徴とする請求項３に記載の電子本のコンテンツを変更するための方法。
【請求項５】
前記マーキング表示した電子本のコンテンツを保存するステップを更に含むことを特徴とする請求項１に記載の電子本のコンテンツを変更するための方法。
【請求項６】
電子本システムにおける電子本のコンテンツを変更するための方法であって、
前記電子本のコンテンツを表示部に表示するステップと、
前記電子本のコンテンツで変更するための少なくても一つの第１情報を確認するステップと、
前記第１情報を変更するための変更情報を確認するステップと、
前記電子本のコンテンツで前記変更情報によって前記第１情報を一括的に変更するステップと、を有することを特徴とする電子本のコンテンツを変更するための方法。
【請求項７】
前記第１情報は、単語又は文句単位の情報を含むことを特徴とする請求項６に記載の電子本のコンテンツを変更するための方法。
【請求項８】
前記変更情報は、前記第１情報の色相変更情報、書体変更情報、変更するための単語、変更するための文句、及び変更するためのイメージ情報の中の少なくとも一つを含むことを特徴とする請求項６に記載の電子本のコンテンツを変更するための方法。
【請求項９】
前記変更情報によって第１情報を変更した電子本のコンテンツを保存するステップを更に含むことを特徴とする請求項６に記載の電子本のコンテンツを変更するための方法。
【請求項１０】
電子本システムにおける電子本のコンテンツを変更するための方法であって、
前記電子本のコンテンツを表示部に表示するステップと、
前記電子本のコンテンツで付加説明を追加する単語及び文句の中の少なくとも一つを確認するステップと、
前記単語及び文句の中の少なくとも一つに追加する付加説明を確認するステップと、
前記電子本のコンテンツで前記確認した単語及び文句の中の少なくとも一つに前記付加説明を一括的に追加するステップと、を有することを特徴とする電子本のコンテンツを変更するための方法。
【請求項１１】
前記付加説明が追加された電子本のコンテンツを保存するステップを更に含むことを特徴とする請求項１０に記載の電子本のコンテンツを変更するための方法。
【請求項１２】
電子本システムにおける電子本のコンテンツを変更するための装置であって、
前記電子本のコンテンツを表示するように制御し、前記電子本のコンテンツでマーキング表示する情報を一括的にマーキング表示するように制御する制御部と、
前記制御部の制御によって前記電子本のコンテンツを表示し、前記電子本のコンテンツでマーキングする情報を一括的にマーキング表示する表示部と、を備えることを特徴とする電子本のコンテンツを変更するための装置。
【請求項１３】
前記マーキング表示する情報は、単語又は文句単位の情報を含むことを特徴とする請求項１２に記載の電子本のコンテンツを変更するための装置。
【請求項１４】
前記制御部は、前記マーキング表示する情報に対するマーキング表示情報を確認し、前記確認したマーキング表示情報によって前記電子本のコンテンツで前記マーキング表示する情報を一括的にマーキング表示するように制御することを特徴とする請求項１２に記載の電子本のコンテンツを変更するための装置。
【請求項１５】
前記マーキング表示情報は、マーキングの方式、及びマーキングの色相の中の少なくとも一つを含むことを特徴とする請求項１４に記載の電子本のコンテンツを変更するための装置。
【請求項１６】
前記マーキング表示した電子本のコンテンツを保存する保存部を更に含むことを特徴とする請求項１２に記載の電子本のコンテンツを変更するための装置。
【請求項１７】
電子本システムにおける電子本のコンテンツを変更するための装置であって、
前記電子本のコンテンツを表示するように制御し、変更情報によって前記電子本のコンテンツの第１情報を一括的に変更するように制御する制御部と、
前記制御部の制御によって前記電子本のコンテンツを表示し、前記変更情報によって前記電子本のコンテンツの前記第１情報を変更表示する表示部と、を備えることを特徴とする電子本のコンテンツを変更するための装置。
【請求項１８】
前記第１情報は、単語又は文句単位の情報を含むことを特徴とする請求項１７に記載の電子本のコンテンツを変更するための装置。
【請求項１９】
前記変更情報は、前記第１情報の色相変更情報、書体変更情報、変更するための単語、変更するための文句、及び変更するためのイメージ情報の中の少なくとも一つを含むことを特徴とする請求項１７に記載の電子本のコンテンツを変更するための装置。
【請求項２０】
前記変更情報によって変更した電子本のコンテンツを保存する保存部を更に含むことを特徴とする請求項１７に記載の電子本のコンテンツを変更するための装置。
【請求項２１】
電子本システムにおける電子本のコンテンツを変更するための装置であって、
前記電子本のコンテンツを表示するように制御し、前記電子本のコンテンツで単語及び文句の中の少なくとも一つに付加説明を追加するように制御する制御部と、
前記制御部の制御によって電子本のコンテンツを表示し、付加説明が追加された単語及び文句の中の少なくとも一つが選択された場合、当該単語及び文句の中の少なくとも一つに追加された付加説明を表示する表示部と、を備えることを特徴とする電子本のコンテンツを変更するための装置。
【請求項２２】
前記付加説明が追加された電子本のコンテンツを保存する保存部を更に含むことを特徴とする請求項２１に記載の電子本のコンテンツを変更するための装置。
【発明の詳細な説明】
【技術分野】
【０００１】
本発明は、電子本（ｅ−ｂｏｏｋ：Ｅｌｅｃｔｒｏｎｉｃ  ｂｏｏｋ）サービスを提供するための装置及び方法に関し、特に、電子本システムにおける電子本のコンテンツを変更するための装置及び方法に関するものである。
【背景技術】
【０００２】
電子本サービスは、紙の本を代替する情報提供の媒体の一つとして電子的なディスプレー方式でテキストコンテンツを見せるサービスのことである。
【０００３】
電子本サービスは、フラッシュメモリーや内蔵したハードディスクに保存されたテキストコンテンツを、ディスプレー画面を通じて表示する方式によって多くの量の本の内容を一括して保存しておき、見たい内容を選択して見られる長所がある。
【０００４】
最近は、ポータブル端末機が常用化されてポータブル端末機で易しく使うことができる電子本サービスに対する関心も急増している。このため、電子本システムは、デジタル化された電子本のコンテンツの特性を利用して電子本の使用者の便宜のための多様なサービスを必要とする。
【先行技術文献】
【特許文献】
【０００５】
【特許文献１】韓国特許出願公開第１０−２００９−００３２３６０号明細書
【発明の概要】
【発明が解決しようとする課題】
【０００６】
本発明は、上記従来技術に鑑みてなされたものであって、本発明の目的は電子本システムにおける電子本のコンテンツの内容を使用者の意図によって変更するための装置及び方法を提供することにある。
本発明の他の目的は電子本システムにおける電子本のコンテンツの特定の内容を一括的にマーキング表示するための装置及び方法を提供することにある。
本発明の更に他の目的は電子本システムにおける電子本のコンテンツの特定の単語及び文句の表現方式を一括的に変更するための装置及び方法を提供することにある。
本発明の更に他の目的は電子本システムにおける電子本のコンテンツの特定の単語及び文句の形態を一括的に変更するための装置及び方法を提供することにある。
本発明の更に他の目的は電子本システムにおける電子本のコンテンツの付加説明のサービスを提供するための装置及び方法を提供することにある。
【課題を解決するための手段】
【０００７】
上記目的を達成するためになされた本発明の一態様による電子本システムにおける電子本のコンテンツを変更するための方法は、前記電子本のコンテンツを表示部に表示するステップと、前記電子本のコンテンツでマーキング表示する情報を確認するステップと、前記電子本のコンテンツで前記マーキング表示する情報を一括的にマーキング表示するステップと、を有することを特徴とする。
【０００８】
本発明の他の態様による電子本システムにおける電子本のコンテンツを変更するための方法は、前記電子本のコンテンツを表示部に表示するステップと、前記電子本のコンテンツで変更するための少なくても一つの第１情報を確認するステップと、前記第１情報を変更するための変更情報を確認するステップと、前記電子本のコンテンツで前記変更情報によって前記第１情報を一括的に変更するステップと、を有することを特徴とする。
【０００９】
本発明の更に他の態様による電子本システムにおける電子本のコンテンツを変更するための方法は、前記電子本のコンテンツを表示部に表示するステップと、前記電子本のコンテンツで付加説明を追加する単語及び文句の中の少なくとも一つを確認するステップと、前記単語及び文句の中の少なくとも一つに追加する付加説明を確認するステップと、前記電子本のコンテンツで前記単語及び文句の中の少なくとも一つに前記付加説明を一括的に追加するステップと、を有することを特徴とする。
【００１０】
上記目的を達成するためになされた本発明の一態様による電子本システムにおける電子本のコンテンツを変更するための装置は、前記電子本のコンテンツを表示するように制御し、前記電子本のコンテンツでマーキング表示する情報を一括的にマーキング表示するように制御する制御部と、前記制御部の制御によって前記電子本のコンテンツを表示し、前記電子本のコンテンツでマーキングする情報を一括的にマーキング表示する表示部と、を備えることを特徴とする。
【００１１】
本発明の他の態様による電子本システムにおける電子本のコンテンツを変更するための装置は、前記電子本のコンテンツを表示するように制御し、変更情報によって前記電子本のコンテンツの第１情報を一括的に変更するように制御する制御部と、前記制御部の制御によって前記電子本のコンテンツを表示し、前記変更情報によって前記電子本のコンテンツの第１情報を変更表示する表示部と、を備えることを特徴とする。
【００１２】
本発明の更に他の態様による電子本システムにおける電子本のコンテンツを変更するための装置は、前記電子本のコンテンツを表示するように制御し、前記電子本のコンテンツで単語及び文句の中の少なくとも一つに付加説明を追加するように制御する制御部と、前記制御部の制御によって電子本のコンテンツを表示し、付加説明が追加された単語及び文句の中の少なくとも一つが選択された場合、当該単語及び文句の中の少なくとも一つに追加された付加説明を表示する表示部と、を備えることを特徴とする。
【発明の効果】
【００１３】
本発明によれば、電子本システムにおいて、使用者の意図によって特定の内容を一括的に変更又は表示するサービスを提供することで、電子本のコンテンツの全体の内容を使用者の意図によって手軽に変更することができ、電子本の使用者の利便性を高めることができる。
【００１４】
また、電子本サービスで付加説明のサービスを提供することで、電子本の使用者が電子本のコンテンツの内容を易しく把握することができ、電子本のコンテンツの活用範囲を広げて、電子本の使用者の利便性を高めることができる。
【図面の簡単な説明】
【００１５】
【図１】本発明の一実施形態による電子本の端末の構成を示す図である。
【図２】本発明の一実施形態によるマーキングのサービスを提供するための手続きを示す図である。
【図３】本発明の一実施形態による文句の変更のサービスを提供するための手続きを示す図である。
【図４】本発明の他の実施形態による文句の変更のサービスを提供するための手続きを示す図である。
【図５】本発明の一実施形態による付加説明の追加のサービスを提供するための手続きを示す図である。
【図６】本発明の一実施形態による表現方式の変更のサービスを提供するための手続きを示す図である。
【図７】本発明の一実施形態による電子本の端末の画面の構成を示す図である。
【発明を実施するための形態】
【００１６】
以下、本発明の電子本のコンテンツを変更するための装置及び方法を実施するための形態の具体例を、図面を参照しながら詳細に説明する。
【００１７】
本発明を説明するに際し、関係する公知の機能或いは構成に対する具体的な説明が本発明の要旨を不必要に曖昧にすることがあると判断された場合はその詳細な説明は省略する。そして後述する用語は本発明の機能を考慮して定義された用語としてこれは使用者、運用者の意図又は慣例などによって変わり得る。従ってその定義は本明細書の全般に亘った内容を基に判断しなければならない。
【００１８】
以下、本発明の電子本サービスを提供するための技術について説明する。
【００１９】
以下の説明で、電子本のコンテンツはテキスト（ｔｅｘｔ）又はＸＭＬ（ｅＸｔｅｎｓｉｂｌｅ  Ｍａｒｋｕｐ  Ｌａｎｇｕａｇｅ）で構成されるものと仮定する。
【００２０】
電子本サービスを提供する端末は図１に示すように構成される。ここで、電子本サービスを提供する端末は電子的なディスプレー方式を用いる電子機器を含む。例えば、電子本サービスを提供する端末は、電子的なディスプレー方式を用いるコンピューター、ＰＤＡ（Ｐｅｒｓｏｎａｌ  Ｄｉｇｉｔａｌ  Ａｓｓｉｓｔａｎｔ）、ポータブルコンピューター、電子本専用端末機、移動通信端末機、ポータブル端末機、ナビゲーション、スマートフォン（Ｓｍａｒｔ  Ｐｈｏｎｅ）、ネットブック（Ｎｅｔｂｏｏｋ）、携帯インターネット装置（ＭＩＤ：Ｍｏｂｉｌｅ  Ｉｎｔｅｒｎｅｔ  Ｄｅｖｉｃｅ）、ウルトラモバイルＰＣ（ＵＭＰＣ：Ｕｌｔｒａ  Ｍｏｂｉｌｅ  ＰＣ）、タブレット  ＰＣ（Ｔａｂｌｅｔ  Ｐｅｒｓｏａｌ  Ｃｏｍｐｕｔｅｒ）などを含む。
【００２１】
図１は、本発明の一実施形態による電子本の端末の構成を示す図である。
【００２２】
図１に示すように、電子本の端末は、制御部１００、表示制御部１０２、表示部１０４、入力部１０６、及び保存部１０８を含んで構成される。
【００２３】
制御部１００は、電子本の端末の全体的な動作の制御を遂行する。例えば、制御部１００は、使用者のインターフェースのためのメニュー画面の出力、電子本のコンテンツの保存、保存部１０８に保存された電子本のコンテンツの抽出及び電子本のコンテンツの表示を制御する。また、制御部１００は、入力部１０６を通じて入力された電子本のコンテンツの変更情報を表示制御部１０２に提供する。
【００２４】
表示制御部１０２は、制御部１００の制御によってメニュー画面及び電子本のコンテンツをディスプレー可能な信号に変換して表示部１０４に提供する。この時、表示制御部１０２は、入力部１０６を通じて入力された使用者の意図によって電子本のコンテンツの内容を変更表示するように制御する。例えば、表示制御部１０２は、電子本のコンテンツで特定の内容を一括的にマーキング表示するように制御する。他の例として、表示制御部１０２は、電子本のコンテンツで特定の単語及び文句の表現方式を一括的に変更するように制御する。また他の例として、表示制御部１０２は、電子本のコンテンツで特定の単語及び文句を他の単語及び文句に一括的に変更するように制御する。更に他の例として、表示制御部１０２は、電子本のコンテンツの特定の単語及び文句の形態を一括的に変更するように制御する。また更に他の例として、表示制御部１０２は、電子本のコンテンツの付加説明のサービスを提供するように制御する。
【００２５】
表示部１０４は、表示制御部１０２の制御によって電子本の端末の状態情報、メニュー画面、及び電子本のコンテンツを表示する。この時、表示部１０４は、表示制御部１０２の制御によって電子本のコンテンツの内容を変更表示することができる。例えば、表示部１０４は、図７に示すように電子本のコンテンツで特定の内容を一括的にマーキング表示（７０２）する。他の例として、表示部１０４は、図７に示すように電子本のコンテンツで特定の単語及び文句をイメージ又は顔文字に一括的に変更（７０４、７０６）する。また他の例として、表示部１０４は、図７に示すように電子本のコンテンツの特定の単語及び文句に付加説明（７０８）を表示する。更に他の例として、表示部１０４は、電子本のコンテンツの特定の単語及び文句の色相又は書体を一括的に変更する。また更に他の例として、表示部１０４は、電子本のコンテンツの特定の単語及び文句を他の単語及び文句に一括的に変更する。追加的に、表示部１０４は、図７に示すように電子本のコンテンツを変更した情報（７１０）を、電子本のコンテンツと区分けされるように表示する。
【００２６】
入力部１０６は、使用者の選択によって発生する入力データを制御部１００に提供する。例えば、入力部１０６は、使用者による変更情報を制御部１００に提供する。
【００２７】
保存部１０８は、電子本の端末の動作を制御するためのプログラムを保存するプログラム保存部及びプログラム遂行中に発生するデータを保存するデータ保存部で構成される。例えば、保存部１０８は、制御部１００から提供を受けた電子本のコンテンツ及び電子本サービスのための使用者インターフェースに要する各種のメニューデータを保存する。
【００２８】
上述の構成で、制御部１００は、表示制御部１０２の機能を遂行することができる。本実施形態でこれを別途に構成したのは各機能を区別して説明するためである。従って、実際に具現する場合は、表示制御部１０２の全ての機能又は一部の機能を制御部１００で処理するように構成することができる。
【００２９】
また、上述の構成で、表示部１０４と入力部１０６は、各機能を区別して説明するために別途に構成されるものとして図示する。従って、実際に具現する場合、表示部１０４と入力部１０６は、一つのモジュールで構成することもできる。
【００３０】
図２は、本発明の一実施形態によるマーキングサービスを提供するための手続きを示す図である。以下の説明は、電子本の端末が電子本のコンテンツで特定の文句を使用者の意図によってマーキングするものと仮定して説明する。しかし、電子本の端末は電子本のコンテンツで特定の単語を使用者の意図によって等しくマーキングすることができる。この時、電子本の端末は多数個の単語を使用者の意図によって等しくマーキングすることもできる。
【００３１】
図２を参照すると、電子本の端末は２０１段階で電子本のコンテンツを実行する。例えば、電子本の端末は使用者によって選択された電子本のコンテンツを使用者が確認できるように表示部１０４に表示する。
【００３２】
次に、電子本の端末は２０３段階に進行してマーキングサービスを実行するか否かを確認する。例えば、電子本の端末は使用者によってマーキングサービスメニューが選択されるのかを確認する。
【００３３】
マーキングサービスを実行しない場合、電子本の端末は２０１段階に戻って電子本のコンテンツを使用者が確認できるように継続して表示部１０４に表示する。
【００３４】
一方、マーキングサービスを実行する場合、電子本の端末は２０５段階に進行して使用者が選択したマーキングする文句を確認する。例えば、電子本の端末は表示部１０４に表示された電子本のコンテンツで使用者が入力部１０６を通じて選択したマーキングする文句を確認する。他の例として、電子本の端末は使用者が入力部１０６を通じて入力したマーキングする文句を確認する。この時、電子本の端末は使用者が選択した多数個の文句を確認することもできる。
【００３５】
また、電子本の端末は２０７段階に進行して使用者が選択した文句に対するマーキング表示を確認する。例えば、電子本の端末は予め決められたマーキング表示を確認する。他の例として、電子本の端末は使用者が入力したマーキング表示を確認することもできる。ここで、マーキング表示はマーキング方式やマーキング色相などを含む。
【００３６】
マーキングする文句とマーキング表示を確認した後、電子本の端末は２０９段階に進行してマーキング表示によりマーキングする文句をマーキングする。この時、電子本の端末は電子本のコンテンツの全体で確認した文句を一括的にマーキングする。例えば、電子本の端末は図７に示すように“ガブリエルタル”を桃色で強調表示（７０２）する。他の例として、使用者が多数個の文句を選択した場合、電子本の端末は多数個の文句を一括的にマーキングすることもできる。この時、電子本の端末は各文句別に他のマーキング表示を使ってマーキングすることもできる。
【００３７】
文句をマーキングした後、電子本の端末は２１１段階に進行してマーキング表示した電子本のコンテンツを保存する。
【００３８】
最後に、電子本の端末は本アルゴリズムを終了する。
【００３９】
上述した実施形態では、電子本の端末は特定の文句をマーキング表示した電子本のコンテンツを保存した。
【００４０】
他の実施形態として、電子本の端末は現在実行している電子本のコンテンツでのみ当該文句をマーキング表示することもできる。
【００４１】
また、上述した実施形態で、電子本の端末は使用者がマーキングサービスを選択した場合、マーキングする文句を確認する。他の実施形態として、電子本の端末は電子本のコンテンツを実行する場合、別途のメニューの選択なしにマーキングサービスを提供することもできる。
【００４２】
図３は、本発明の一実施形態による文句の変更のサービスを提供するための手続きを示す図である。以下の説明は、電子本の端末が電子本のコンテンツの特定の文句を他の文句に変更するものと仮定して説明する。しかし、電子本の端末は電子本のコンテンツの特定の単語を他の単語に変更する場合にも等しく適用することができる。
【００４３】
図３を参照すると、電子本の端末は３０１段階で電子本のコンテンツを実行する。例えば、電子本の端末は使用者によって選択された電子本のコンテンツを使用者が確認できるように表示部１０４に表示する。
【００４４】
次に、電子本の端末は３０３段階に進行して文句の変更のサービスを実行するか否かを確認する。例えば、電子本の端末は使用者によって文句の変更のサービスメニューが選択されるのかを確認する。
【００４５】
文句の変更のサービスを実行しない場合、電子本の端末は３０１段階に戻って電子本のコンテンツを使用者が確認できるように継続して表示部１０４に表示する。
【００４６】
一方、文句の変更のサービスを実行する場合、電子本の端末は３０５段階に進行して使用者が選択した変更の文句を確認する。例えば、電子本の端末は表示部１０４に表示された電子本のコンテンツで使用者が入力部１０６を通じて選択した変更の文句を確認する。他の例として、電子本の端末は使用者が入力部１０６を通じて入力した変更の文句を確認することもできる。ここで、変更の文句は電子本のコンテンツで他の文句に変更するための文句を意味する。
【００４７】
また、電子本の端末は３０７段階に進行して使用者が選択した置き換えの文句を確認する。例えば、電子本の端末は表示部１０４に表示された情報で使用者が入力部１０６を通じて選択した置き換えの文句を確認する。他の例として、電子本の端末は使用者が入力部１０６を通じて入力した文句を確認することもできる。ここで、置き換えの文句は変更の文句が変更される文句を意味する。
【００４８】
変更の文句と置き換えの文句を確認した後、電子本の端末は３０９段階に進行して電子本のコンテンツで変更の文句を置き換えの文句に一括的に変更する。
【００４９】
文句を変更した後、電子本の端末は３１１段階に進行して置き換えの文句に変更した電子本のコンテンツを保存する。
【００５０】
最後に、電子本の端末は本アルゴリズムを終了する。
【００５１】
上述した実施形態では、電子本の端末は置き換えの文句に変更した電子本のコンテンツを保存した。
【００５２】
他の実施形態として、電子本の端末は現在実行している電子本のコンテンツでのみ変更の文句を置き換えの文句に変更表示することもできる。
【００５３】
また、上述した実施形態で、電子本の端末は使用者が文句の変更のサービスを選択した場合、変更の文句及び置き換えの文句を確認する。他の実施形態として、電子本の端末は電子本のコンテンツを実行する場合、別途のメニューの選択なしに文句の変更のサービスを提供することもできる。
【００５４】
図４は、本発明の他の実施形態による文句の変更のサービスを提供するための手続きを示す図である。以下の説明は、電子本の端末が電子本のコンテンツの特定の文句をイメージに変更するものと仮定して説明する。しかし、電子本の端末は電子本のコンテンツの特定の単語をイメージに変更する場合にも等しく適用することができる。
【００５５】
図４を参照すると、電子本の端末は４０１段階で電子本のコンテンツを実行する。例えば、電子本の端末は使用者によって選択された電子本のコンテンツを使用者が確認できるように表示部１０４に表示する。
【００５６】
次に、電子本の端末は４０３段階に進行して文句の変更のサービスを実行するか否かを確認する。例えば、電子本の端末は使用者によって文句の変更のサービスメニューが選択されるのかを確認する。
【００５７】
文句の変更のサービスを実行しない場合、電子本の端末は４０１段階に戻って電子本のコンテンツを使用者が確認できるように継続して表示部１０４に表示する。
【００５８】
一方、文句の変更のサービスを実行する場合、電子本の端末は４０５段階に進行して使用者が選択した変更の文句を確認する。例えば、電子本の端末は表示部１０４で表示された電子本のコンテンツで使用者が入力部１０６を通じて選択した変更の文句を確認する。他の例として、電子本の端末は使用者が入力部１０６を通じて入力した変更の文句を確認することもできる。ここで、変更の文句は電子本のコンテンツでイメージに変更するための文句を意味する。
【００５９】
また、電子本の端末は４０７段階に進行して使用者が選択した置き換えのイメージを確認する。ここで、置き換えのイメージは変更の文句を変更するためのイメージ又は顔文字を意味する。
【００６０】
変更の文句と置き換えのイメージを確認した後、電子本の端末は４０９段階に進行して電子本のコンテンツで変更の文句を置き換えのイメージに一括的に変更する。例えば、電子本の端末は図７に示すように“インディアン”を雪だるまのイメージに一括変更（７０４）して、“コンスタンスカルミントン”を星のイメージ（★）に一括変更（７０６）する。
【００６１】
文句を変更した後、電子本の端末は４１１段階に進行して置き換えの文句に変更した電子本のコンテンツを保存する。
【００６２】
最後に、電子本の端末は本アルゴリズムを終了する。
【００６３】
上述した実施形態では、電子本の端末は文句をイメージに変更した電子本のコンテンツを保存した。
【００６４】
他の実施形態として、電子本の端末は現在実行している電子本のコンテンツでのみ当該文句をイメージに変更表示することもできる。
【００６５】
また、上述した実施形態で、電子本の端末は使用者が文句の変更のサービスを選択した場合、変更の文句及び置き換えのイメージを確認する。他の実施例として、電子本の端末は電子本のコンテンツを実行する場合、別途のメニューの選択なしに文句の変更のサービスを提供することもできる。
【００６６】
図５は、本発明の一実施形態による付加説明の追加のサービスを提供するための手続きを示す図である。以下の説明は、電子本の端末が電子本のコンテンツの特定の文句に付加説明を追加するものと仮定して説明する。しかし、電子本の端末は電子本のコンテンツの特定の単語及び特定の文句の中の少なくとも一つに付加説明を等しく追加することができる。
【００６７】
図５を参照すると、電子本の端末は５０１段階で電子本のコンテンツを実行する。例えば、電子本の端末は使用者によって選択された電子本のコンテンツを使用者が確認できるように表示部１０４に表示する。
【００６８】
次に、電子本の端末は５０３段階に進行して使用者が選択した付加説明を追加する文句を確認する。例えば、電子本の端末は表示部１０４に表示された電子本のコンテンツで使用者が入力部１０６を通じて選択した文句を確認する。他の例として、電子本の端末は使用者が入力部１０６を通じて入力した文句を確認することもできる。
【００６９】
付加説明を追加する文句を確認した後、電子本の端末は５０５段階に進行して文句に付加説明を追加する。例えば、電子本の端末は使用者が入力した付加説明を文句にマッピングする。
【００７０】
次に、電子本の端末は５０７段階に進行して付加説明が追加された文句が選択される否かを確認する。
【００７１】
付加説明が追加された文句が選択される場合、電子本の端末は５０９段階に進行して選択された文句に付加説明を表示する。例えば、図７に示すように“ガブリエルタル”に付加説明が追加された場合、電子本の端末は“ガブリエルタル”が選択されると“ガブリエルタル”に追加された付加説明を画面に表示する。
【００７２】
最後に、電子本の端末は本アルゴリズムを終了する。
【００７３】
図６は、本発明の一実施形態による表現方式の変更サービスを提供するための手続きを示す図である。以下の説明は、電子本の端末が電子本のコンテンツの特定の文句の表現方式を変更するものと仮定して説明する。しかし、電子本の端末は電子本のコンテンツの特定の単語の表現方式を変更する場合にも等しく適用することができる。
【００７４】
図６を参照すると、電子本の端末は６０１段階で電子本のコンテンツを実行する。例えば、電子本の端末は使用者によって選択された電子本のコンテンツを使用者が確認できるように表示部１０４に表示する。
【００７５】
次に、電子本の端末は６０３段階に進行して表現方式の変更サービスを実行するか否かを確認する。例えば、電子本の端末は使用者によって表現方式の変更サービスメニューが選択されるのかを確認する。
【００７６】
表現方式の変更サービスを実行しない場合、電子本の端末は６０１段階に戻って電子本のコンテンツを使用者が確認できるように継続して表示部１０４に表示する。
【００７７】
一方、表現方式の変更サービスを実行する場合、電子本の端末は６０５段階に進行して使用者が選択した文句を確認する。例えば、電子本の端末は表示部１０４に表示された電子本のコンテンツで使用者が入力部１０６を通じて選択した文句を確認する。他の例として、電子本の端末は使用者が入力部１０６を通じて入力した文句を確認することもできる。
【００７８】
また、電子本の端末は６０７段階に進行して選択した文句の表現方式に対する変更情報を確認する。ここで、表現方式に対する変更情報は、文句の色相、書体、及び大きさの中の少なくとも一つを変更するための情報を含む。
【００７９】
文句と変更情報を確認した後、電子本の端末は６０９段階に進行して電子本のコンテンツで文句の表現方式を変更する。
【００８０】
文句の表現方式を変更した後、電子本の端末は６１１段階に進行して当該文句の表現方式が変更された電子本のコンテンツを保存する。
【００８１】
最後に、電子本の端末は本アルゴリズムを終了する。
【００８２】
上述した実施形態では、電子本の端末は文句の表現方式を変更した電子本のコンテンツを保存した。
【００８３】
他の実施形態として、電子本の端末は現在実行している電子本のコンテンツでのみ当該文句の表現方式を変更表示することもできる。
【００８４】
また、上述した実施形態で、電子本の端末は使用者が表現方式の変更サービスを選択した場合、表現方式を変更する文句及び変更情報を確認する。
【００８５】
他の実施形態として、電子本の端末は、電子本のコンテンツを実行する場合、別途のメニューの選択なしに表現方式の変更サービスを提供することもできる。
【００８６】
上述した実施例で、電子本の端末は、マーキング表示、単語又は文句の表現方式の変更、単語又は文句の内容変換、付加説明の追加のサービスをそれぞれ提供するものと仮定して説明した。しかし、電子本の端末は、図７に示すように、マーキング表示、単語又は文句の表現方式の変更、単語又は文句の内容変換、付加説明の追加のサービスの中の少なくとも一つを同時に提供することもできる。
【００８７】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【００８８】
１００    制御部
１０２    表示制御部
１０４    表示部
１０６    入力部
１０８    保存部
【図１】
2012113710.tif 000003
【図２】
2012113710.tif 000004
【図３】
2012113710.tif 000005
【図４】
2012113710.tif 000006
【図５】
2012113710.tif 000007
【図６】
2012113710.tif 000008
【図７】
2012113710.tif 000009